(57)【要約】【課題】縦樋とエルボの両方を外壁に対して一体的に見せて、外観性の向上を図ることができる樋構造を提案すること。【解決手段】本実施形態の樋構造は、外壁１に取り付けた取付具２に取り付けられる縦樋３と、縦樋３の上端に接続されるエルボ４とを備える。縦樋３は、雨水を流すための筒部３０と、取付具２に接続するための接続部３１と、一対の覆い部３２とを備える。一対の覆い部３２は、取付具２に接続部３１が接続された状態で、筒部３０と外壁１との間及び取付具２を覆い隠す。エルボ４は、雨水を流すための折れ曲がり筒部４０と、筒部３０の上端部内側に接続するための接続用筒部４１と、一対の隠し部４２とを備える。一対の隠し部４２は、外壁１に取り付けた縦樋３の筒部３０に接続用筒部４１が接続された状態で、折れ曲がり筒部４０と外壁１との間を覆い隠す。【選択図】図１
2013108270.tif 000002
【特許請求の範囲】
【請求項１】
建物の外壁に取り付けた取付具を介して前記外壁に取り付けられる縦樋と、この縦樋の上端に接続されるエルボとを備える樋構造であって、
前記縦樋は、雨水を流すための筒部と、前記取付具に接続するための接続部と、前記取付具に前記接続部が接続された状態で、前記筒部と前記外壁との間及び前記取付具を覆い隠すための一対の覆い部とを備え、
前記エルボは、雨水を流すための折れ曲がり筒部と、前記縦樋の前記筒部の上端部内側に接続するための接続用筒部と、前記外壁に取り付けた前記縦樋の前記筒部に前記接続用筒部が接続された状態で、前記折れ曲がり筒部と前記外壁との間を覆い隠すための一対の隠し部とを備えたことを特徴とする樋構造。
【発明の詳細な説明】
【技術分野】
【０００１】
本発明は、外壁に取付具を介して取り付けられる縦樋と、この縦樋の上端に接続されるエルボとを備える樋構造に関するものである。
【背景技術】
【０００２】
建物の外壁に縦樋を取り付ける構造としては、外壁に複数の取付具を取り付け、この複数の取付具で縦樋の外周を保持し、縦樋を外壁から離して配置することが一般的である。
【０００３】
しかし、このようにした場合、縦樋と外壁との間に隙間があり、また取付具が目立ってしまうので外観性が低いという問題があった。また、取付具が露出しているため、取付具を伝って外壁に雨水が染み込み、その結果、外壁が変色したり腐食するといった問題があった。
【０００４】
こういった問題を解決するものとして、例えば特許文献１には、縦樋を外壁に隙間なく配置し、外壁に取り付けた取付具をこの縦樋で覆い隠すものが提案されている。
【０００５】
この特許文献１に記載の縦樋は、図５に示すように、雨水を流すための筒部３０と、この筒部３０から外壁１に向けて突出する一対の覆い部３２とを備えている。そして、この一対の覆い部３２の先端部内側に取付具１０２を挟むことによって、縦樋３を外壁１に取り付けている。
【先行技術文献】
【特許文献】
【０００６】
【特許文献１】特開２００８−２２３４５１号公報
【発明の概要】
【発明が解決しようとする課題】
【０００７】
しかし、特許文献１に記載の縦樋３では、雨水を流すための筒部３０が外壁１から離れており、この筒部３０に一般的なエルボ９を接続すると、図５に示すように、エルボ９と外壁１との間に隙間が生じてしまい、エルボ９部分が外壁１に対して一体的に見え難いという問題がある。
【０００８】
そこで、上記事情を鑑みて、本発明では、縦樋に加えてこれに接続するエルボも、外壁に隙間無く配置することができ、これにより縦樋とエルボの両方を外壁に対して一体的に見せて、外観性の向上を図ることができる樋構造を提案することを課題とする。
【課題を解決するための手段】
【０００９】
上記課題を解決するために本発明は、建物の外壁に取り付けた取付具を介して前記外壁に取り付けられる縦樋と、この縦樋の上端に接続されるエルボとを備える樋構造であって、前記縦樋は、雨水を流すための筒部と、前記取付具に接続するための接続部と、前記取付具に前記接続部が接続された状態で、前記筒部と前記外壁との間及び前記取付具を覆い隠すための一対の覆い部とを備え、前記エルボは、雨水を流すための折れ曲がり筒部と、前記縦樋の前記筒部の上端部内側に接続するための接続用筒部と、前記外壁に取り付けた前記縦樋の前記筒部に前記接続用筒部が接続された状態で、前記折れ曲がり筒部と前記外壁との間を覆い隠すための一対の隠し部とを備えたことを特徴とする。
【発明の効果】
【００１０】
本発明の樋構造は、縦樋に加えてこれに接続するエルボも、外壁に隙間無く配置することができ、これにより縦樋とエルボの両方を外壁に対して一体的に見せて、外観性の向上を図ることができる。
【図面の簡単な説明】
【００１１】
【図１】本発明の実施形態の樋構造を示す斜視図である。
【図２】同上の樋構造を外壁に取り付けた状態を示す側面図である。
【図３】同上の樋構造のうちの縦樋を排水管に接続する状態を示す斜視図である。
【図４】同上の縦樋を外壁に取り付けた状態を示す平面図である。
【図５】従来例の縦樋を外壁に取り付け、この縦樋に一般的なエルボを取り付けた状態を示す側面図である。
【発明を実施するための形態】
【００１２】
本発明を、添付図面に示す実施形態に基づいて説明する。
【００１３】
本実施形態の樋構造は、図１に示すように、建物の外壁１に取り付けた取付具２を介して外壁１に取り付けられる縦樋３と、この縦樋３の上端に接続されるエルボ４とを備える。
【００１４】
縦樋３は、雨水を流すための角状の筒部３０と、取付具２に接続するための接続部３１と、取付具２に接続部３１が接続された状態で、筒部３０と外壁１との間及び取付具２を覆い隠すための一対の覆い部３２とを備える。
【００１５】
本実施形態では、角状の筒部３０は、前面部３３と後面部３４と両側面部３５とで囲んで形成されており、側面部３５を後面部３４よりも外壁１側に延設させることで一対の覆い部３２を形成している。これにより一対の覆い部３２と筒部３０とをあたかも一本の柱のような外観としている。
【００１６】
また、本実施形態では、一対の覆い部３２の先端部の内側に、接続部３１を配置している。一対の接続部３１は、図４に示すように、互いに向き合うように内側に向けて突出している。また、一対の覆い部３２の基端部の内側には、外側に切り欠いた切欠部３６を設けており、基端部の厚みが覆い部３２の他部分と比べて薄くなっている。これにより、覆い部３２は、先端側が拡がりやすく、また、この切欠部３６において切断しやすくなっている。
【００１７】
縦樋３は、図４に示すように、外壁１にねじ等の固定具５で取り付けた板状の取付具２を介して、外壁１に取り付けられる。取付具２の両端部には、縦樋３の接続部３１が接続される被接続部２０を備えている。本実施形態では、被接続部２０は、外壁１から離れる側に折れ曲がった後で外壁１に近づく側に折れ曲がったＶ字の折れ曲がり形状となっている。このような形状とすることで、縦樋３の接続部３１を取付具２の被接続部２０に外壁１側へと押し当てるだけで、接続部３１が外壁１と取付具２の被接続部２０との間に位置して係止状態となり、縦樋３を外壁１に取り付けることができる。
【００１８】
また、本実施形態では、図４に示すように、外壁１の出隅に縦樋３を略面一に取り付けている。これにより、縦樋３は外壁１を形成する柱のように見えやすく、一層存在感を薄めることができる。
【００１９】
縦樋３は、図３に示すように、一対の覆い部３２の下端部部分を切断して筒部３０のみとなった下端部を、地面に取り付けられた排水管６に接続する。排水管６は上端部が角筒状であり、筒部３０が内側に嵌合する。
【００２０】
角筒状の排水管６は、前面部６０と後面部６１と両側面部６２とで囲んで形成されており、後面部６１の両側端には、切り込み部６３を設けている。切り込み部６３には、覆い部３２が差込自在となっている。この切り込み部６３によって、縦樋３の熱による長手方向の伸縮を吸収することができる。縦樋３は、縦樋３の下端が切り込み部６３よりも下方に位置するように排水管６に接続される。
【００２１】
縦樋３の上端に接続されるエルボ４は、図１に示すように、雨水を流すための折れ曲がり筒部４０と、縦樋３の筒部３０の上端部内側に接続するための接続用筒部４１と、一対の隠し部４２とを備えている。一対の隠し部４２は、外壁１に取り付けた縦樋３の筒部３０に接続用筒部４１が接続された状態で、折れ曲がり筒部４０と外壁１との間を覆い隠す。
【００２２】
本実施形態では、折れ曲がり筒部４０は、角筒が９０度に折れ曲がったＬ字状のものである。接続用筒部４１は、折れ曲がり筒部４０の下端に連通するように一体に設けられ、折れ曲がり筒部４０よりも一回り小さい外形となっている。接続用筒部４１は、筒部３０の上端部内側に嵌め込まれる。折れ曲がり筒部４０は、Ｌ字状の側面部４３を後面部４４よりも外壁１側に延設させることで一対の隠し部４２を形成している。
【００２３】
これにより、折れ曲がり筒部４０と一対の隠し部４２とは一体的な外観となっている。また、本実施形態では、エルボ４の接続用筒部４１を縦樋３の筒部３０の上端部内側に嵌め込んだ状態で、エルボ４の前面部４５が、縦樋３の前面部３３と略面一となり、エルボ４の両側面部４３が縦樋３の両側面部３５と略面一となる。加えて、エルボ４の前面部４５の下端が、縦樋３の前面部３３の上端に略隙間なく配置され、エルボ４の両側面部４３の下端が、縦樋３の両側面部３５の上端に略隙間なく配置される。これにより、縦樋３とエルボ４とは一体的な外観となる。
【００２４】
以上説明したエルボ４と縦樋３とは、図２に示すように、外壁１に取り付けられる。縦樋３は、図に示すように、覆い部３２の一部を切断することによって、外壁１から突出する突出物１０を避けることができる。エルボ４には、呼び樋７を介して軒樋８が取り付けられる。
【００２５】
図２に示すように、縦樋３及びエルボ４は、外壁１との間に隙間を介することなく配置できる。そして、縦樋３を外壁１に取り付けるための取付具２は、縦樋３の覆い部３２によって覆い隠される。これにより、縦樋３とエルボ４の両方が外壁１に直付けされたような一体的な外観となる。そのため、本実施形態では、縦樋３とエルボ４の存在感を薄めて、建物の外観性の向上を図ることができる。また、取付具２を露出させないようにすることで、取付具２を伝って外壁１に雨水が染み込み難く、外壁１の変色や腐食を防止できる。
【００２６】
なお、上述した実施形態では、縦樋３、エルボ４及び排水管６は角筒状であったが、丸筒状に形成してもかまわない。
【００２７】
以上述べたように、本実施形態の樋構造は、建物の外壁１に取り付けた取付具２を介して外壁１に取り付けられる縦樋３と、この縦樋３の上端に接続されるエルボ４とを備える。縦樋３は、雨水を流すための筒部３０と、取付具２に接続するための接続部３１と、一対の覆い部３２とを備える。一対の覆い部３２は、取付具２に接続部３１が接続された状態で、筒部３０と外壁１との間及び取付具２を覆い隠す。エルボ４は、雨水を流すための折れ曲がり筒部４０と、縦樋３の筒部３０の上端部内側に接続するための接続用筒部４１と、一対の隠し部４２とを備える。一対の隠し部４２は、外壁１に取り付けた縦樋３の筒部３０に接続用筒部４１が接続された状態で、折れ曲がり筒部４０と外壁１との間を覆い隠す。
【００２８】
本実施形態の樋構造では、建物の外壁１に縦樋３を取り付けた状態で、縦樋３の筒部３０と外壁１との間を、一対の覆い部３２によって覆い隠すことができる。そして、この一対の覆い部３２によって、外壁１に取り付けた取付具２も覆い隠すことができる。これにより、本実施形態の樋構造では、外壁１に対して縦樋３を隙間なく配置でき、外壁１に縦樋３を取り付けるための取付具２も外側に露出しないようにできて、外壁１に対して縦樋３を一体的に見せることができる。
【００２９】
加えて、本実施形態の樋構造では、建物の外壁１に取り付けた縦樋３にエルボ４を接続した状態で、エルボ４の折れ曲がり筒部４０と外壁１との間を、一対の隠し部４２によって覆い隠すことができる。これにより、本実施形態の樋構造では、外壁１に対してエルボ４を隙間なく配置でき、外壁１に対してエルボ４も一体的に見せることができる。
【００３０】
このように本実施形態の樋構造では、縦樋３に加えてこれに接続するエルボ４も、外壁１に隙間無く配置することができ、取付具２を露出しないようにでき、これにより縦樋３とエルボ４の両方を外壁１に対して一体的にみせて、外観性の向上を図ることができる。
【００３１】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００３２】
１      外壁
２      取付具
３      縦樋
４      エルボ
３０    筒部
３１    接続部
３２    覆い部
４０    折れ曲がり筒部
４１    接続用筒部
４２    隠し部
【図１】
2013108270.tif 000003
【図２】
2013108270.tif 000004
【図３】
2013108270.tif 000005
【図４】
2013108270.tif 000006
【図５】
2013108270.tif 000007